(57)【要約】【課題】  光ディスク再生装置を電池で動作させる場合、電池の電圧が再生装置の動作可能電圧の閾値に近くなるとスピンドルやトラバース等のモータ初期起動時に電池電圧が一瞬低下し前記閾値を下回ることによりそれ以上動作できなくなってしまう。【解決手段】  ディスク回転手段２と、ディスク読み出し手段３と、増幅手段４と、演算手段４と、ドライブ信号作成手段５とを備え、電池９で動作する光ディスク再生装置であって、電池電圧モニタ手段１０と制御手段８を設け、電池電圧モニタ手段１０で電池９の電圧をモニタし、制御手段８がその電池電圧と予め設定された閾値と比較し、電池電圧が閾値を下回る場合は演算パラメータ７のスピンドルゲインとトラバースゲインを下げる方向に変更する。これにより、スピンドルやトラバース等のモータ初期起動時に電池電圧が一瞬低下することによる動作停止を防止し、電池による動作時間をより長くすることができる。【選択図】  図１
2005235321.tif 000002
【特許請求の範囲】
【請求項１】
第１のドライブ信号に基づいて光ディスクを回転させるディスク回転手段と、前記光ディスクからデータを読み出すディスク読み出し手段と、第２のドライブ信号に基づいて前記ディスク読み出し手段を前記光ディスクの径方向に移動させる移動手段と、前記ディスク読み出し手段で読み出したデータの再生処理を行うとともに演算パラメータを用いて前記第１のドライブ信号および前記第２のドライブ信号の基になるドライブ指示信号を作成する演算手段と、前記演算手段で作成されたドライブ指示信号に基づいて前記第１のドライブ信号および前記第２のドライブ信号を作成するドライブ信号作成手段と、電源となる電池とを備えた光ディスク再生装置であって、
前記電池の電圧をモニタする電池電圧モニタ手段と、前記電池電圧モニタ手段による前記電池の電圧が第１の閾値を下回ったときに前記演算手段が用いる演算パラメータの値の修正を行なう制御手段とを設けたことを特徴とする光ディスク再生装置。
【請求項２】
前記制御手段が修正を行なう演算パラメータは第１のドライブ信号のゲイン設定値であり、前記制御手段は前記電池の電圧が第１の閾値を下回った時に前記第１のドライブ信号のゲイン設定値を小さくする請求項１記載の光ディスク再生装置。
【請求項３】
前記ディスク回転手段としてスピンドルモータを備え、前記第１のドライブ信号は前記スピンドルモータのドライブ信号である請求項２記載の光ディスク再生装置。
【請求項４】
前記制御手段が修正を行なう演算パラメータは第２のドライブ信号のゲイン設定値であり、前記制御手段は前記電池の電圧が第１の閾値を下回った時に前記第２のドライブ信号のゲイン設定値を小さくする請求項１記載の光ディスク再生装置。
【請求項５】
前記移動手段としてトラバースモータを備え、前記第２のドライブ信号は前記トラバースモータのドライブ信号である請求項４記載の光ディスク再生装置。
【請求項６】
記憶手段を設け、前記電池電圧モニタ手段による前記電池の電圧が第１の閾値を下回ると前記ディスク回転手段の回転速度と前記ディスク読み出し手段のデータの読み出しの速度を上げて前記演算手段は前記ディスク読み出し手段からのデータを前記記憶手段へ記録するとともに、前記記憶手段から前記データを読み出して再生処理を行なうようにした請求項１記載の光ディスク再生装置。
【請求項７】
前記光ディスクから読み出されるデータが音声データであり、前記演算手段は、前記電池電圧モニタ手段による前記電池の電圧が第２の閾値を下回り、かつ前記記憶手段に記録された音声データの残量が無くなると音声信号出力のミュート処理を行なうようにした請求項６記載の光ディスク再生装置。
【発明の詳細な説明】
【技術分野】
【０００１】
本発明は、電池で動作するコンパクトディスクプレーヤ等の光ディスク再生装置に関するものである。
【背景技術】
【０００２】
従来の光ディスク再生装置の動作について図面を用いて詳細に説明する。図４は従来の光ディスク再生装置のブロック図である。
【０００３】
ディスクを再生する際、演算手段５は演算パラメータ７にあるスピンドルドライブのゲインに基づき、ドライブ指示信号Ｓ３を出力する。ドライブ指示信号Ｓ３を受け取ると、ドライブ信号作成手段６はスピンドルドライブ信号Ｓ５を出力する。ディスク回転手段２はスピンドルドライブ信号Ｓ５に基づいて光ディスク１を回転させる。ディスク読み出し手段３は光ディスク１にレーザを照射し、その反射光の変化を電気信号に変換して読み出し信号Ｓ１を出力する。増幅手段４は読み出し信号Ｓ１を増幅して増幅信号Ｓ２を出力する。演算手段５は増幅信号Ｓ２を用いて音声等のディスク１に記録されたデータの再生と、ディスクを安定して読み出すサーボ演算を行ない、その結果に基づきトラバース、スピンドルドライブを含むドライブ指示信号Ｓ３を出力する。ドライブ信号作成手段６はドライブ指示信号Ｓ３に基づきトラバースドライブ信号Ｓ４やスピンドルドライブ信号Ｓ５を出力する。この光ディスク再生装置は、電池９を電源にしている。
【０００４】
近年、電池で動作するコンパクトディスクプレーヤ等の光ディスク再生装置は例えば単三電池2個1組で動作する場合、その1組の電池での再生時間の長期化が求められている。
【０００５】
その目的を達成するため内部回路部品の低電圧化を行ったり、ディスクからの読み出し速度を上げて記憶手段へ一旦記録し、1倍速で記憶手段からの読み出しにより再生を行ない、ディスクからの読み出し時間を短縮することでスピンドル回転に使用するモータ電流を削減したり、ディスクの読み出しを行なわない期間のレーザやフォトディテクタを停止することにより、再生時間の長期化を行なっている（例えば、特許文献１参照。）。
【特許文献１】特開平１０−２８３７３３号公報
【発明の開示】
【発明が解決しようとする課題】
【０００６】
光ディスク再生装置を電池で動作させる場合、電池の電圧が再生装置の動作可能電圧の閾値に近くなるとスピンドルモータやトラバースモータ等のモータ初期起動時に電池電圧が一瞬低下して前記閾値を下回ることによりそれ以上動作できなくなってしまう。
【０００７】
本発明の目的は、電池による動作時間を長くすることができる光ディスク再生装置を提供することである。
【課題を解決するための手段】
【０００８】
本発明の光ディスク再生装置は、第１のドライブ信号に基づいて光ディスクを回転させるディスク回転手段と、光ディスクからデータを読み出すディスク読み出し手段と、第２のドライブ信号に基づいてディスク読み出し手段を光ディスクの径方向に移動させる移動手段と、ディスク読み出し手段で読み出したデータの再生処理を行うとともに演算パラメータを用いて第１のドライブ信号および第２のドライブ信号の基になるドライブ指示信号を作成する演算手段と、演算手段で作成されたドライブ指示信号に基づいて第１のドライブ信号および第２のドライブ信号を作成するドライブ信号作成手段と、電源となる電池とを備えた光ディスク再生装置であって、電池の電圧をモニタする電池電圧モニタ手段と、電池電圧モニタ手段による電池の電圧が第１の閾値を下回ったときに演算手段が用いる演算パラメータの値の修正を行なう制御手段とを設けたことを特徴とする。
【０００９】
本発明において、制御手段が修正を行なう演算パラメータは第１のドライブ信号のゲイン設定値であり、制御手段は電池の電圧が第１の閾値を下回った時に第１のドライブ信号のゲイン設定値を小さくする。
【００１０】
本発明において、ディスク回転手段としてスピンドルモータを備え、第１のドライブ信号はスピンドルモータのドライブ信号である。
【００１１】
本発明において、制御手段が修正を行なう演算パラメータは第２のドライブ信号のゲイン設定値であり、制御手段は電池の電圧が第１の閾値を下回った時に第２のドライブ信号のゲイン設定値を小さくする。
【００１２】
本発明において、移動手段としてトラバースモータを備え、第２のドライブ信号はトラバースモータのドライブ信号である。
【００１３】
本発明において、記憶手段を設け、電池電圧モニタ手段による電池の電圧が第１の閾値を下回るとディスク回転手段の回転速度とディスク読み出し手段のデータの読み出しの速度を上げて演算手段はディスク読み出し手段からのデータを記憶手段へ記録するとともに、記憶手段からデータを読み出して再生処理を行なうようにしている。
【００１４】
本発明において、光ディスクから読み出されるデータが音声データであり、演算手段は、電池電圧モニタ手段による電池の電圧が第２の閾値を下回り、かつ記憶手段に記録された音声データの残量が無くなると音声信号出力のミュート処理を行なうようにしている。
【発明の効果】
【００１５】
本発明によれば、スピンドルモータやトラバースモータ等のモータ初期起動時に電池電圧が一瞬低下することによる動作停止を防止し、電池による動作時間をより長くすることができる。
【００１６】
また、電池の電圧が動作可能電圧を下回り、誤動作等によるノイズ発生を防止することができる。
【００１７】
また、記憶手段を設け、電池の電圧が閾値を下回る場合にディスクからの読み出しを高速で行なうモードに切り替えることにより、電池による動作時間をより長くすることができる。
【発明を実施するための最良の形態】
【００１８】
本発明の実施の形態について図面を用いて詳細に説明する。
【００１９】
図１は第1の実施の形態における光ディスク再生装置のブロック図である。ディスクを再生する際、演算手段５は演算パラメータ７にあるスピンドルドライブのゲインに基づき、ドライブ指示信号Ｓ３を出力する。ドライブ指示信号Ｓ３を受け取ると、ドライブ信号作成手段６はスピンドルドライブ信号Ｓ５を出力する。スピンドルモータ等からなるディスク回転手段２はスピンドルドライブ信号Ｓ５に基づいて光ディスク１を回転させる。光学ピックアップからなるディスク読み出し手段３は光ディスク１にレーザを照射し、その反射光の変化を電気信号に変換して読み出し信号Ｓ１を出力する。また、ディスク読み出し手段３である光学ピックアップはトラバースドライブ信号Ｓ４に基づくトラバースモータ（図示せず）の駆動によって光ディスク１の径方向に移動する。増幅手段４はディスク読み出し手段３からの読み出し信号Ｓ１を増幅して増幅信号Ｓ２を出力する。演算手段５は増幅信号Ｓ２を用いて音声等のディスクに記録されたデータの再生と、ディスクを安定して読み出すサーボ演算を行ない（このサーボ演算のとき演算手段５は演算パラメータ７にあるスピンドルゲインとトラバースゲインを用いる）、その結果に基づきトラバース、スピンドルドライブを含むドライブ指示信号Ｓ３を出力する。ドライブ信号作成手段６はドライブ指示信号Ｓ３に基づきトラバースドライブ信号Ｓ４やスピンドルドライブ信号Ｓ５を出力する。
【００２０】
また、電池電圧モニタ手段１０は、この光ディスク再生装置の電源である電池９の電圧を常時、又は間欠的にモニタし電圧信号Ｓ６を出力する。制御手段８は電圧信号Ｓ６と予め設定された閾値（動作可能最低電圧）と比較し、電圧信号Ｓ６の電圧が閾値を下回る場合は演算パラメータ７のスピンドルゲインとトラバースゲインを下げる方向に変更する。これにより、スピンドルモータやトラバースモータ等のモータ初期起動時に電池電圧が一瞬低下することによる動作停止を防止し、電池による動作時間をより長くすることができる。
【００２１】
図２は第1の実施の形態における光ディスク再生装置の動作のうち、電池電圧によりパラメータを変更する部分の制御のフローチャートである。図２において、電池９によりディスク再生装置を駆動している場合、制御手段８は、ある周期又はあるタイミングで電池電圧（電圧信号Ｓ６）をチェックし（２１）、予め設定してある閾値と比較する（２２）。比較した結果、電池電圧が閾値以上の場合はパラメータの変更処理を行なわず、ディスクの再生を継続する（２５）。電池電圧が閾値より小さい場合はスピンドルゲインのパラメータの変更処理（２３）、トラバースゲインのパラメータの変更処理（２４）を行なった後、ディスクの再生を継続する（２５）。
【００２２】
上記スピンドルゲインのパラメータの変更処理（２３）、トラバースゲインのパラメータの変更処理（２４）によって、制御手段８が演算パラメータ７のスピンドルゲインとトラバースゲインを下げる方向に書き換える。
【００２３】
図３は第２の実施の形態における光ディスク再生装置のブロック図である。図２において、１〜１０について１倍の速度で読み出し、再生している場合の動作については図１と同様なので説明は省略する。１１はディスク１からの読み出しを高速で行う場合に読み出しデータを保存する記憶手段である。例えば２倍の速度で読み出したデータ（増幅信号Ｓ２）を演算手段５が記憶手段１１に保存しつつ、1倍の速度で記憶手段１１から読み出して再生すれば、ディスクの読みだし時間は半分でよく、残りの半分はディスクの回転の停止やレーザを停止することができる。
【００２４】
電池９で動作させている場合で、ディスクの読み出し、再生、共に1倍で行なっている場合（１倍速モード）において、第1の実施の形態同様、電池９の電圧をモニタし、電圧が閾値（第１の閾値）を下回る場合はディスクからの読み出しを高速で行なうモード（高倍速モード）に切り替えることにより、電池９による動作時間をより長くすることができる。高倍速モード、例えば２倍速に切り替える場合には、制御手段８が2倍速でディスク読み出しを行うよう指示を出し、その指示を受けた演算手段５は２倍速でのサーボ動作により読み出しを行い、記憶手段１１にデータを蓄積しつつ、出力するデータは1倍速で記憶手段１１から読み出して出力する。
【００２５】
１倍速のモードではディスク１からの読出速度と演算手段５からのオーディオデータ出力速度が同じのため、記憶手段１１との信号のやり取りは発生しない。高倍速モード時は、出力速度を上回る速度で読み出し、記憶手段１１にデータを蓄積しつつ、１倍速で記憶手段１１のデータを読み出しながら出力する。蓄積の速度が上回るため記憶手段１１がいっぱいになった時には、1倍速に切り替えるか、レーザや増幅手段４の電源をＯＦＦし、ディスク１からの読み出しを停止し記憶手段１１からの読み出しのみ1倍で継続する。記憶手段１１に蓄積されたデータの残量が少なくなると、再度高倍速でのディスク読み出しを開始する。前記の繰り返しの動作を続けます。その他の動作は1倍速と同様である。
【００２６】
上述のように、制御手段８は、電池９の電圧が予め設定された閾値（第１の閾値）を下回る場合に高倍速モードに切り替え、読み出し速度を変更するよう演算手段５に指示を出す。
【００２７】
また、電池９の電圧が別途指定の閾値（第２の閾値）を下回り、かつ記憶手段１１に記録された音声データの残量が無くなると音声信号出力のミュート処理を実施する。1倍速で動作できる限界を示す閾値が先に述べた第1の閾値で、高倍速時に動作できる限界を示す閾値が第２の閾値である。実際問題として、高倍速で読み出しを行うにはスピンドルモータの速度を2倍で回すなど、1倍速よりも多くの電流を必要とし、それゆえ、1倍速では動作できても高倍速では動作できない電圧があるため、別々の閾値を指定できるようにしている。
【産業上の利用可能性】
【００２８】
本発明にかかる光ディスク再生装置は、電池電圧をモニタし、電池の電圧が閾値を下回った時に演算手段が用いる演算パラメータの値の修正を行なう制御手段を有し、電池で動作するポータブルＣＤプレーヤ等の光ディスク再生装置の再生時間長期化を図るために有用である。
【図面の簡単な説明】
【００２９】
【図１】本発明の第1の実施の形態における光ディスク再生装置のブロック図。
【図２】本発明の第1の実施の形態における光ディスク再生装置の制御フローチャート。
【図３】本発明の第２の実施の形態における光ディスク再生装置のブロック図。
【図４】従来の光ディスク再生装置のブロック図。
【符号の説明】
【００３０】
１    光ディスク
２    ディスク回転手段
３    ディスク読み出し手段
４    増幅手段
５    演算手段
６    ドライブ信号作成手段
７    演算パラメータ
８    制御手段
９    電池
１０    電池電圧モニタ手段
【図１】
2005235321.tif 000003
【図２】
2005235321.tif 000004
【図３】
2005235321.tif 000005
【図４】
2005235321.tif 000006